(57)【特許請求の範囲】
【請求項１】
空調機器におけるパイプ類の挿通壁口の開口面を閉塞する蓋装置であって、開口面を覆う蓋盤の内側面に、挿通壁口内に挿入されて挿通壁口内周面の一部に係止当接される当接片と、蓋盤自体の内外方向に沿って揺動して挿通壁口内周面の一部に弾発的に鋭角状に当接される突っ張り片とを配設して成り、突っ張り片は蓋盤の偏心位置から外方に向かって伸びている羽根片状で、その先端縁側から中心側に至るに伴い次第に広幅状にすることで挿通壁口の開口内縁面に摺接する傾斜操作縁を形成してあると共に、この傾斜操作縁における挿通壁口の開口内縁面に対する摺接部位を傾斜状に形成し、蓋盤は挿通壁口の内外の開口面夫々に配されて、連繋手段によって相互に連繋されるようにしてあることを特徴とする空調機器におけるパイプ類の挿通壁口の目隠し用蓋装置。
【請求項２】
傾斜操作縁と先端縁とが交差する角部は丸みを帯びている請求項１記載の空調機器におけるパイプ類の挿通壁口の目隠し用蓋装置。
【請求項３】
当接片は挿通壁口の内周面に当接するほぼ円弧状に形成してある請求項１または２記載の空調機器におけるパイプ類の挿通壁口の目隠し用蓋装置。
【請求項４】
突っ張り片は当接片にほぼ対称的にして蓋盤の内側面に配された対称当接片に、蓋盤自体の半径線上に位置せずに半径線に対して交差する方向に沿って連設して配置形成してある請求項１乃至３のいずれか記載の空調機器におけるパイプ類の挿通壁口の目隠し用蓋装置。
【請求項５】
連繋手段は、いずれか一方の蓋盤に連繋する索条状に形成されていて、いずれか他方の蓋盤に開口した挿通孔に一体形成の係止片に逆止状に噛み合うようにした係止面を備えている請求項１乃至４のいずれか記載の空調機器におけるパイプ類の挿通壁口の目隠し用蓋装置。
【発明の詳細な説明】
【０００１】
【発明の属する技術分野】
本発明は主として室内外で分離したセパレート型のエアコン装置等の空調機器における各種ダクト、パイプ類を建物躯体壁に開口した挿通壁口に挿通させて配管するに際し、使用していない挿通壁口の躯体壁開口面を閉塞するもので、内外の開口面で閉塞処理作業を行なうときに一時的にでも仮止め装着を可能にして作業能率を向上できるようにした空調機器におけるパイプ類の挿通壁口の目隠し用蓋装置に関する。
【０００２】
【従来の技術】
従来からエアコン装置において、熱交換機を備えることで室外に設置される室外ユニット、吸気口・噴出口等が設けられることで例えば壁掛け式に設置される室内ユニット夫々に分離された分離型のものは、室外ユニット、室内ユニット相互間でダクト等のエアホースを接続するものとされ、そのエアホースは例えば建物躯体壁に開口した挿通壁口に挿通させて配管されている。ただこの挿通壁口は、エアコン装置が設置されていない不使用時では、見苦しく、不体裁なものであるから、建物内外の密閉性を維持する上でも密閉用の蓋装置によって化粧処理も兼ねて閉塞されている。
【０００３】
そのための蓋装置は、挿通壁口の躯体壁両側面における開口のいずれをも夫々で閉塞するように、またその大小の異なる開口径夫々に対応できるようにした内筒を突設形成した一対の蓋具相互を例えばいずれか一方に連繋した連繋紐材を他方のものに挿通固定することで相互に連結し、内外の蓋具夫々の離反を阻止した状態でセットされるものとなっている。すなわちこの蓋装置では、躯体壁内外側面のいずれか一方の開口縁内に内筒を位置させるようにして連繋紐材付きの一方の蓋具を嵌め入れ装着すると共にその連繋紐材をいずれか他方の開口側から外出させた状態としておいて、いずれか他方の開口側ではその連繋紐材を他方の蓋具に挿通して締め上げてその蓋具の内筒を開口縁内に位置させて他方の開口に嵌め入れ装着するのである。
【０００４】
ところがこのような相互連結式の一対の蓋具から成る蓋装置にあっては、挿通壁口位置が例えば躯体壁の窓口、扉口等の開口部の近傍位置で作業者自らが内外位置の夫々に手指の届く範囲内のものであれば、単独で作業できても、手指が届かない遠方位置であると、他の作業者との連繋作業によって行なわなければならず、非常に面倒であり、また作業能率の向上は期待できないものであった。
【０００５】
これを解消すべく、挿通壁口に対する仮止め手段を少なくとも一方の蓋具に付設形成したものが提案されている。すなわちこうした仮止め手段の一例は、蓋具の径方向に沿う外側方に付勢弾発されている一対の仮止め片を一時的に蓋具自体の内側面に突設形成してある内筒部に強制的に係合し、挿通壁口内への挿入直後にその係合状態を解除することで仮止め片端を挿通壁口内周面に突っ張り状に当接させることによって仮止めするものとしてある。
【０００６】
【発明が解決しようとする課題】
ところが上述した従来提案の弾発的な突っ張り式仮止め片によった場合には、挿通壁口内に嵌め入れるに先立つ仮止め片の内筒への係合が必要であり、更にはその取り外しによる挿通壁口内周縁面への当接突っ張り操作を行なうとき、蓋具本体の内側で蓋具本体面と挿通壁口開口面との僅かな隙間内で行なわなければならないから、非常に面倒であり、極めて煩わしいものであった。
【０００７】
そこで本発明は叙上のような従来存した諸事情に鑑み創出されたもので、上述したような閉塞作業に先立つ事前の係合処理等の面倒な作業、準備も不要で、挿通壁口の開口に嵌め入れるだけでそのまま仮止め係止でき、しかもその係止は他方の開口面で連繋紐材によって牽引するまでの間では確実に維持され、こうすることでエアコン装置の設置に関連して開口形成される挿通壁口が不要な場合の閉塞処理を極めて簡単に行なうことができるようにした空調機器におけるパイプ類の挿通壁口の目隠し用蓋装置を提供することを目的とする。
【０００８】
【課題を解決するための手段】
上述した課題を解決するため、本発明にあっては、空調機器におけるパイプ類の挿通壁口Ｈの開口面を閉塞するもので、開口面を覆う蓋盤１の内側面に、挿通壁口Ｈ内に挿入されて挿通壁口Ｈ内周面の一部に係止当接される当接片３と、蓋盤１自体の内外方向に沿って揺動して挿通壁口Ｈ内周面の一部に弾発的に鋭角状に当接される突っ張り片５とを配設して成り、突っ張り片５は蓋盤１の偏心位置から、蓋盤１自体の半径線上に沿わずに、外方に向かって伸びている羽根片状で、その先端縁７側から中心側に至るに伴い次第に広幅状にすることで挿通壁口Ｈの開口内縁面に摺接する傾斜操作縁６を形成してあると共に、この傾斜操作縁６における挿通壁口Ｈの開口内縁面に対する摺接部位を傾斜状に形成したものであり、また傾斜操作縁６と先端縁７とが交差する角部は丸みを帯びさせたものとして形成できる。
当接片３は挿通壁口Ｈの内周面に当接するほぼ円弧状に形成でき、突っ張り片５は当接片３にほぼ対称的にして蓋盤１の内側面に配された対称当接片４に、蓋盤１自体の半径線上に位置せずに半径線に対して交差する方向に沿って連設して配置形成できる。
更に蓋盤１は挿通壁口Ｈの内外の開口面夫々に配されて、連繋手段１０によって相互に連繋されるように構成でき、この連繋手段１０は、いずれか一方の蓋盤１に連繋する索条状に形成されていて、いずれか他方の蓋盤１に開口した挿通孔１７に一体形成の係止片１８に逆止状に噛み合うようにした係止面１２を備えているものとできる。
【０００９】
以上のように構成された本発明に係る空調機器におけるパイプ類の挿通壁口の目隠し用蓋装置にあって、挿通壁口Ｈの開口面に蓋盤１を位置させた状態で、当接片３を開口縁面に、また突っ張り片５を挿通壁口Ｈの開口内縁面に順次に摺接するようにして押し込むことで、傾斜操作縁６は突っ張り片５を蓋盤１の中心側に窄ませられる。すると突っ張り片５の先端縁は当接片３と共に挿通壁口Ｈ内で突っ張り状に係止されることで蓋盤１をして挿通壁口Ｈを閉塞させる。
先端縁７側から中心側に至るに伴い次第に広幅状になっていることで傾斜操作縁６が形成されている羽根状の突っ張り片５は、傾斜操作縁６の傾斜状の摺接部位が傾斜操作縁６自体をその中心側から先端縁７側に至るように挿通壁口Ｈの開口内縁面に順次に円滑に摺接させるのであり、蓋盤１外方からの押し込みと相俟って傾斜操作縁６が突っ張り片５自体を捻り、撓ませる。この撓ませ作用は突っ張り片５を蓋盤１の中心側に窄めさせて、原形に復原しようとする弾発力を発生させて、当接片３と共に挿通壁口Ｈ内で突っ張り、その開口面を蓋盤１によって閉塞させる。
突っ張り片５における傾斜操作縁６と先端縁７とが交差する丸みを帯びた角部は、傾斜操作縁６が挿通壁口Ｈの開口内縁面に順次に摺接して先端縁７と交差する角部に至るときに、その角部位で引っかからせずに先端縁７部分を挿通壁口Ｈ内に円滑に連続的に挿入させる。
当接片３にほぼ対称的に配された対称当接片４に、蓋盤１自体の半径線上に位置せずに半径線に対して交差する方向に沿って連設した突っ張り片５は、挿通壁口Ｈの開口面にあてがった蓋盤１が強制的にでも押し込まれるとき、突っ張り片５を蓋盤１の中心側に自動的に傾斜させ、窄めさせる。
挿通壁口Ｈの内外の開口面夫々に配された蓋盤１相互を連繋する連繋手段１０は、閉塞施工後の外部からの衝撃、振動その他によっても蓋盤１相互を離反、分離させず、挿通壁口Ｈの開口を確実に覆わせる。
連繋手段１０を係止させる係止片１８の蓋盤１との一体形成化は、連繋手段１０を挿通孔１７に挿通した後の係止片１８との噛み合い作業を安定化させると共に、係止噛み合い状態を確実にし、構造を簡素化させる。
【００１０】
【発明の実施の形態】
以下図面を参照して本発明の一実施の形態を説明すると、図において示される符号１は、例えばエアコン装置の如き空調機器(図示せず)における室外ユニット、室内ユニット相互間で配管接続される各種のダクト、パイプ類を挿通すべく建物の躯体壁Ｗに開口した挿通壁口Ｈの開口面に位置されて、この挿通壁口Ｈを閉塞する蓋盤である。この蓋盤１自体は、挿通壁口Ｈの開口面全域を充分に隠蔽し、覆うに足りる大きさにした例えば円盤状に合成樹脂材にて形成されており、この蓋盤１自体の補強、挿通壁口Ｈ開口面の隠蔽時の体裁良好性等を考慮して躯体壁Ｗ面に当接する縁取状の補強縁２が周縁に形成されている。またこの蓋盤１の色彩も躯体壁Ｗの外装あるいは内装化粧材と違和感がないものとして配慮されるも、蓋盤１自体は挿通壁口Ｈを覆うに足りればよいから、その形状、色彩等につき特に限定されない。
【００１１】
この蓋盤１の内側面には挿通壁口Ｈ内に挿入配置される当接片３と、この当接片３にほぼ対称的にして配置された対称当接片４とが、両者３，４が同一の円周上に位置するように湾曲させられて形成されており、その曲率は挿通壁口Ｈの開口内縁の曲率に比し、好ましくは小さいものとしてある。また両者３，４を結ぶ仮想の円周の中心は円盤状の蓋盤１の中心位置に対して偏心していて、当接片３は蓋盤１の中心位置から離れ、対称当接片４は逆に近くなっている。すなわち図示にあって当接片３自体は、後述の突っ張り片５における先端縁が突っ張り状にして挿通壁口Ｈ内周面に弾発的に係止されるときに蓋盤１自体が挿通壁口Ｈの開口面に対してその中心が好ましくはほぼ一致されることになるのを考慮して、蓋盤１に対して偏心させた位置に配置形成してある（図３参照）。そしてその偏心位置された当接片３における外方である外周面と、突っ張り片５の先端縁とが挿通壁口Ｈ内周面の対向位置で当接することで挿通壁口Ｈ内で係止装着されるものとなっている。なお図示を省略したが、これらの当接片３、対称当接片４は両者が連続していることで全体として筒状に形成されることもあり、これらは任意に選定できるのである。
【００１２】
そして対称当接片４の一端からは、蓋盤１自体の内外方向に沿って揺動して挿通壁口Ｈ内周面の一部に弾発的に鋭角状に当接される突っ張り片５を配設してある。この突っ張り片５自体は蓋盤１の外方に向かって伸びている羽根片状で、その先端縁７側からその基部である対称当接片４の一端である蓋盤１の中心側に至るに伴い次第に広幅状にすることで挿通壁口Ｈの開口内縁面に摺接する傾斜操作縁６を形成してあると共に、この傾斜操作縁６における挿通壁口Ｈの開口内縁面に対する摺接部位を傾斜状に形成したものである（図２参照）。
【００１３】
この突っ張り片５自体は蓋盤１の偏心位置から、蓋盤１自体の半径線上に沿わずに、すなわち蓋盤１自体の半径線上に位置せずに半径線に対して交差する方向に沿って対称当接片４から連設して配置形成してある。突っ張り片５自体は、蓋盤１を挿通壁口Ｈの開口面に設置するとき、蓋盤１を傾けた状態として当接片３を挿通壁口Ｈの開口内側縁にあてがった後に、蓋盤１を立てるようにして突っ張り片５を同じく挿通壁口Ｈの開口内側縁にあてがうときに自然に蓋盤１の中心側に倒伏するように撓ませられればよいものとしてある。このため突っ張り片５は、図示のように蓋盤１中心位置からの半径線方向に合致せずに、半径線に対して傾斜・交差する方向で設けられるのであり、例えば図３に示すように先端縁７位置から基部側を見ると、先端縁７から蓋盤１の中心に至る半径線に対して先端縁７位置で交差しているようにされていて、その基部は蓋盤１の中心に対して偏心位置にあるものである。
【００１４】
こうすることで突っ張り片５は当接片３と共に挿通壁口Ｈ内でその径方向に沿って自体に発生する弾発力によって、互いに外方に向かう突っ張り作用に伴う係止作用で挿通壁口Ｈ内で係止されるものとなり、先端縁が挿通壁口Ｈの内周側面に当接することによって自身が湾曲状に撓むことによる弾発的な復原力が突っ張り作用として発揮されるものとしてある。
【００１５】
そのため突っ張り片５はその基部が蓋盤１に直接に連設されていてもよく、図示のように対称当接片４の一端から連設されていてもよいのであり、ただ図示のように蓋盤１の内側面とは若干の間隙（間隔）を設定して隔てさせられていて、自由に揺動するようにしてある。また上述したように傾斜操作縁６によって蓋盤１の中心側から見れば細長い台形状を呈するものとして形成されており、傾斜操作縁６と先端縁７とが交差する角部は丸みを帯びさせることで、傾斜操作縁６が挿通壁口Ｈの開口内側縁に摺接して突っ張り片５自体を撓ませるときに、先端縁７が挿通壁口Ｈ内に嵌め入れられるときの円滑性を図っている（図２参照）。
【００１６】
また傾斜操作縁６においては、前記したように挿通壁口Ｈの開口内縁面に対する摺接部位を突っ張り片５の肉厚全体で傾斜状に形成してあり、その傾斜は直線的なものに限らず、僅かにでも湾曲状に膨出されたものとなることもある。図示のように傾斜形成面側は、突っ張り片５における蓋盤１の外方側となっており、形成された傾斜面縁が挿通壁口Ｈの開口内側縁に当接されたときに突っ張り片５自体の傾斜形成と相俟って突っ張り片５を蓋盤１の中心側に傾斜させるものである。
【００１７】
また突っ張り片５の対称当接片４に対する連設装着は、図示のようにその全体を直線状にすることで形成されるも、図示を省略したが突っ張り片５の先端縁による挿通壁口Ｈ内周面に対する突っ張り作用が良好なものとなるように僅かにでも湾曲させることもある。なお図示を省略したが、突っ張り片５自体は対称当接片４のみならず、これとほぼ対称位置となる当接片３の一端にも連設することで計２個にして配置することも可能であり、更には３個以上に配置することも可能である。
【００１８】
なお図中符号１０は蓋盤１相互を連繋するための紐、細帯、バンド・ベルト等の索条状の連繋手段であり、例えば蓋盤１のほぼ中心位置で、係止孔１６、挿通孔１７夫々を有するものとして凹部状に構成された連繋部１５に、いずれか一方の蓋盤１の係止孔１６に対しては基部に形成のストッパー１１によって係止され、他方の蓋盤１の挿通孔１７に対しては先端から挿通され、凹凸波形状の係止面１２の適宜位置によって、挿通孔１７に形成してある係止片１８のラチェット噛合面１９に係止されるように構成されている。また符号２０は連繋部１５を隠蔽するようにこれに嵌め込まれるカバーであり、図示を省略したが蓋盤１に対して紐材によって連繋される場合もある。
【００１９】
また係止片１８は、図１、図７に示すように挿通孔１７の孔縁に蓋盤１の外方に向かって突出するような断面でほぼＬ字状にして揺動的に一体に連設形成してあり、係止片１８自体の外側面に、連繋手段１０の係止面１２と噛み合うとき、蓋盤１の外方への引き出しは可能とするも逆の内方への押し込みは困難とするようなラチェット噛合面１９を形成してある。一方、図示の連繋手段１０は細帯状に形成されていて、そのいずれかの一側面に連続した波状の係止面１２が形成されていると共に、先端部分では、その他側面側に同様な波状の凹凸面を形成しておいて、挿通孔１７に挿入時には係止面１２がラチェット噛合面１９に噛み合うことなく、また場合によっては挿通孔１７縁に仮止め状に係止される状態で挿入されるものとして、作業の円滑性が図れるように配慮してある。
【００２０】
次にこれの使用の一例を説明すると、例えば空調機器を設置するに際し、室外ユニット、室内ユニット相互間で接続配管される各種のダクト、パイプ類を挿通させるために躯体壁Ｗに開口した挿通壁口Ｈが使用されずに閉塞されるとき、その内外の開口面に対状にして装着される。すなわち図１に示すように、挿通壁口Ｈにおけるいずれか一方の開口面に、連繋部１５における係止孔１６にストッパー１１にて係止させることで連繋手段１０を連繋してある一方の蓋盤１を、図３、図４に示すようにその当接片３、突っ張り片５の傾斜操作縁６を開口面縁に滑らせながら押し込む。そして図４乃至図６に示すようにこの押し込みによって傾斜操作縁６は突っ張り片５を対称当接片４側に窄ませるようにして撓ませ、その先端縁７側に生じた弾発力によって当接片３と共に挿通壁口Ｈ内周面に突っ張り状となして係止し、これによって蓋盤１自体を開口面にセットする。こうすると、他方の開口面には連繋手段１０が伸びた状態で外出露呈しているから、図１、図７に示すようにその先端を他方の蓋盤１における挿通孔１７に挿通して牽引し、牽引しながら当接片３、突っ張り片５を他方の開口面側の挿通壁口Ｈ内に突っ張り片５の弾発力に抗して挿入し、連繋手段１０を挿通孔１７の係止片１８に噛み合わせることで位置決めし、他方の蓋盤１を装着セットする。その後、内外の蓋盤１夫々の連繋部１５を必要に応じカバー２０によって閉塞化粧する。
【００２１】
またこうした空調機器用の躯体壁Ｗに開口された挿通壁口Ｈの閉塞のみならず、所定の形状、構造のものとして構成した蓋部材に、当接片３、突っ張り片５を付設形成しておくことで、その蓋部材によって例えば各種容器の開口、建築構造物の開口、各種部材における開口その他における閉塞用、更に仮止め式の一時的な閉塞用のもの等として各分野で使用できる。そのときの閉塞処理手順は、上述したように、突っ張り片５の弾発力を利用した当接片３との開口内での突っ張り作用を利用して行なうのである。
【００２２】
【発明の効果】
本発明は以上のように構成されているため、例えば空調機器におけるダクト、パイプ類を躯体壁Ｗに挿通するよう開口した挿通壁口Ｈを閉塞するに際し、従来と異なり閉塞作業に先立つ事前の係合処理等の面倒な作業、準備も不要となり、挿通壁口Ｈの開口に嵌め入れるだけでそのまま仮止め係止できる。しかもその係止は一方の開口面に仮止め状となっていることでも他方の開口面で連繋手段１０によって牽引するまでの間では確実に維持されるのであり、こうすることで空調機器の設置に関連して開口形成される挿通壁口Ｈの不要な場合の閉塞処理を作業者が単独でも極めて簡単に行なうことができる。
【００２３】
すなわちこれは本発明において、挿通壁口Ｈの開口面を覆う蓋盤１の内側面に、挿通壁口Ｈ内周面に係止当接される当接片３と、挿通壁口Ｈ内周面に弾発的に鋭角状に当接される突っ張り片５とを配設して成り、突っ張り片５は蓋盤１の偏心位置から外方に向かって伸び、挿通壁口Ｈの開口内縁面に摺接する傾斜操作縁６を形成してある羽根片状で、傾斜操作縁６における挿通壁口Ｈの開口内縁面に対する摺接部位を傾斜状に形成したからであり、蓋盤１の押し込みのみによる閉塞作業で挿通壁口Ｈに対する仮止め状の閉塞維持等を図れるからである。
【００２４】
また突っ張り片５には、この突っ張り片５の先端縁７側から中心側に至るに伴い次第に広幅状にすることで挿通壁口Ｈの開口内縁面に摺接する傾斜操作縁６を形成してあると共に、この傾斜操作縁６における挿通壁口Ｈの開口内縁面に対する摺接部位を傾斜状に形成してあるから、この傾斜操作縁６を挿通壁口Ｈの開口内縁面にあてがった状態で蓋盤１自体を単に押し込むことで、傾斜操作縁６の傾斜状の摺接部位が傾斜操作縁６自体をその中心側から先端縁７側に至るように挿通壁口Ｈの開口内縁面に順次に摺接させて、更にこれに伴い傾斜操作縁６が突っ張り片５自体を捻り、撓ませることで蓋盤１の中心側に窄めさせるのである。この窄めたことによって生じる弾発力によって挿通壁口Ｈ内で当接片３と共に突っ張り状となり、蓋盤１自体を挿通壁口Ｈの開口面で止めて閉塞できるのであり、そのためこうした簡単なワンタッチ作業でのみ挿通壁口Ｈを迅速に閉塞処理できる。
【００２５】
また突っ張り片５における傾斜操作縁６と先端縁７とが交差する角部は丸みを帯びさせたものとしてあるから、突っ張り片５が挿通壁口Ｈ内に挿入されるときに挿通壁口Ｈの開口内縁面に傾斜操作縁６が順次に摺接して、先端縁７と交差する角部に至るときには、引っかかることなく先端縁７部分を挿通壁口Ｈ内に挿入させ、作業の円滑性を図ることができる。
【００２６】
また当接片３は挿通壁口Ｈの内周面に当接するほぼ円弧状に形成してあるから、蓋盤１を挿通壁口Ｈに当接片３によってあてがうときにしっくりと位置決め合わせることができ、突っ張り片５による突っ張り作用による装着安定性の向上に役立つ。
【００２７】
更に突っ張り片５は当接片３にほぼ対称的にして蓋盤１の内側面に配された対称当接片４に、蓋盤１自体の半径線上に位置せずに半径線に対して交差する方向に沿って、すなわち蓋盤１自体の半径線上に沿わずに、連設して配置形成してあるから、蓋盤１の内側面側を挿通壁口Ｈの開口面にあてがって強制的に押し込むとき、突っ張り片５は蓋盤１の中心側に自動的に傾斜し、窄められようになり、蓋盤１によって挿通壁口Ｈ内方が隠蔽される状態で作業を続行する不安性を解消できる。
【００２８】
挿通壁口Ｈの内外の開口面夫々に配された蓋盤１は、連繋手段１０によって相互に連繋されるから、閉塞施工後では外部からの衝撃、振動その他によっても簡単に離反、分離することなく、挿通壁口Ｈの開口を確実に覆うことができ、また必要時には簡単に取り外すことができ、便利である。
【００２９】
連繋手段１０を係止させる係止片１８は、蓋盤１の挿通孔１７に一体形成化してあるから、連繋手段１０を挿通孔１７に挿通した後の係止片１８との噛み合い作業に際し、係止片１８が挿通孔１７から脱落することはなく、挿通、係止作業を円滑に行えると共に、係止面１２との係止噛み合い状態を確実にするばかりでなく、構造を簡素化させ、取り扱いをも容易にできるのである。
【図面の簡単な説明】
【図１】本発明の一実施の形態を示す使用状態の一例における一部切欠分解斜視図である。
【図２】同じく突っ張り片の拡大断面図を含む蓋盤全体の斜視図である。
【図３】同じく挿通壁口内に装着するときの突っ張り片の動作を説明する正面図である。
【図４】同じく挿通壁口への挿入開始時の側断面図である。
【図５】同じく挿通壁口への挿入開始直後の側断面図である。
【図６】同じく挿通壁口への装着終了後の側断面図である。
【図７】同じく挿通壁口の内外で蓋盤相互を連繋手段によって連繋固定する状態の一部省略の側断面図である。
【符号の説明】
Ｈ…挿通壁口                        Ｗ…躯体壁
１…蓋盤                            ２…補強縁
３…当接片                          ４…対称当接片
５…突っ張り片                      ６…傾斜操作縁
７…先端縁
１０…連繋手段                      １１…ストッパー
１２…係止面
１５…連繋部                        １６…係止孔
１７…挿通孔                        １８…係止片
１９…ラチェット噛合面              ２０…カバー
【図１】
0004404426.tif 000002
【図２】
0004404426.tif 000003
【図３】
0004404426.tif 000004
【図４】
0004404426.tif 000005
【図５】
0004404426.tif 000006
【図６】
0004404426.tif 000007
【図７】
0004404426.tif 000008